【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
第１の反射体軸を画定する第１の反射面を備える第１の湾曲反射体と、
前記第１の反射体軸に対して非平行なＬＥＤ軸に概ね沿って光を発するように位置決めされる第１の発光ダイオード（ＬＥＤ）とを備える照明ユニットであって、前記第１のＬＥＤからの光が前記第１の反射面によって第１の対象焦点に向かって反射して収束し、
前記第１の反射体軸および前記ＬＥＤ軸によって形成される第１の平面が、交差領域で前記反射面と交差し、前記第１の反射面の前記交差領域は前記交差領域の外側の前記第１の反射面の領域よりも前記第１の対象焦点に近接して延びる、照明ユニット。
【請求項２】
前記第１のＬＥＤ軸は、前記第１の反射体軸に対して角度θを形成し、４５°≦θ≦９０°であり、θは前記ＬＥＤ軸と前記第１の反射体軸との間の最小角である、請求項１に記載の照明ユニット。
【請求項３】
１８°≦θ≦９０°である、請求項２に記載の照明ユニット。
【請求項４】
θは約９０°である、請求項２に記載の照明ユニット。
【請求項５】
前記第１の反射面は、前記第１の反射体軸を中心とした第１の回転面に適合する、請求項１に記載の照明ユニット。
【請求項６】
前記第１の反射面は楕円面に適合し、前記第１のＬＥＤの前記発光領域は実質的に前記楕円面の第１の焦点に位置決めされ、前記第１の対象焦点は略前記楕円面の第２の焦点に位置決めされる、請求項５に記載の照明ユニット。
【請求項７】
前記第１の反射体は透過媒体から形成され、前記反射面は前記透過媒体の外面に画定され、前記透過媒体は前記第１のＬＥＤと前記第１の反射体の前記反射面との間に位置決めされる、請求項１に記載の照明ユニット。
【請求項８】
前記第１の反射体は第１の出射アパーチャを有し、前記第１のＬＥＤからの収束光は前記第１の出射アパーチャを通って出射し、前記透過媒体は前記第１の出射アパーチャにおいて実質平面を有する、請求項７に記載の照明ユニット。
【請求項９】
前記第１の反射体は第１の出射アパーチャを有し、前記第１のＬＥＤからの収束光は前記第１の出射アパーチャを通って出射し、前記透過媒体は前記第１の出射アパーチャにおいて切子面を有する、請求項７に記載の照明ユニット。
【請求項１０】
前記第１の反射体は第１の出射アパーチャを有し、前記第１のＬＥＤからの収束光は前記第１の出射アパーチャを通って出射し、前記透過媒体は前記第１の出射アパーチャにおいて曲面を有する、請求項７に記載の照明ユニット。
【請求項１１】
前記透過媒体は前記第１のＬＥＤを収容するための窪みを形成する凹面を有し、前記第１のＬＥＤのレンズの少なくとも一部が前記窪みに配置される、請求項７に記載の照明ユニット。
【請求項１２】
前記第１のＬＥＤと前記凹面との間に配置される屈折率整合材料をさらに含む、請求項１１に記載の照明ユニット。
【請求項１３】
前記第１のＬＥＤは、前記凹面に光学的に接着される、請求項１１に記載の照明ユニット。
【請求項１４】
前記第１の反射面は反射体支持媒体によって支持され、前記反射面は前記第１のＬＥＤと前記反射体支持媒体との間に配置される、請求項１に記載の照明ユニット。
【請求項１５】
前記第１の反射体軸に対して非平行である第２の反射体軸を画定する第２の反射面と、前記第２の反射体軸に対して略非平行に光を発するように位置決めされる第２のＬＥＤと、を備える少なくとも第２の反射体をさらに備え、前記第２のＬＥＤからの光は前記第２の反射面によって反射して収束される、請求項１に記載の照明ユニット。
【請求項１６】
前記第１の反射体軸および前記第２の反射体軸は、略前記第１の対象焦点で交差する、請求項１５に記載の照明ユニット。
【請求項１７】
本体軸を有する反射体本体を備える照明ユニットであって、前記反射体本体は、
第１の軸および第１の焦点を有し、前記第１の焦点からの光を第１の反射面によって収束するように反射する形状を有する第１の反射面と、
前記第１の反射面に隣接して配置され、第２の軸および第２の焦点を有し、前記第２の焦点からの光を前記第２の反射面によって収束するように反射する形状を有する第２の反射面とを備え、
前記第１の反射面および前記第２の反射面は、前記本体軸を中心として横断方向に位置決めされ、前記第２の軸は前記第１の軸と非平行であり、前記第１の反射面によって収束するように反射される前記第１の焦点からの光が、前記第２の反射面によって収束するように反射される前記第２の焦点からの光と重なる、照明ユニット。
【請求項１８】
前記第１の軸に最も近くに位置決めされ、前記第１の反射面に向かって前記第１の軸に対して略横断方向に光を発するように配置される第１の発光ダイオード（ＬＥＤ）と、前記第２の軸に最も近くに位置決めされ、前記第２の反射面に向かって前記第２の軸に対して略横断方向に光を発するように配置される第２のＬＥＤと、をさらに備える、請求項１７に記載の照明ユニット。
【請求項１９】
前記第１のＬＥＤおよび前記第２のＬＥＤはそれぞれ、略前記第１の焦点および前記第２の焦点に位置決めされる、請求項１８に記載の照明ユニット。
【請求項２０】
前記第１の軸および前記第２の軸の両方は、前記本体軸に対して非平行である、請求項１７に記載の照明ユニット。
【請求項２１】
前記第１の軸および前記第２の軸は、交点で前記本体軸と交差する、請求項２０に記載の照明ユニット。
【請求項２２】
前記第１の反射面および前記第２の反射面はそれぞれ、前記第１の軸および前記第２の軸を中心とした回転面に適合する、請求項１７に記載の照明ユニット。
【請求項２３】
前記第１の回転面および前記第２の回転面は楕円面である、請求項２２に記載の照明ユニット。
【請求項２４】
前記第１の楕円面および前記第２の楕円面は、実質的に同一の長さの長軸および実質的に同一の長さの短軸を有する、請求項２３に記載の照明ユニット。
【請求項２５】
前記第１の反射面および前記第２の反射面はそれぞれ、各々の第２の焦点を画定する、請求項１７に記載の照明ユニット。
【請求項２６】
前記第１の反射面および前記第２の反射面の前記第２の焦点は、略前記本体軸上に配置される、請求項２５に記載の照明ユニット。
【請求項２７】
前記第１の反射面および前記第２の反射面に隣接して配置される少なくとも第３の反射面をさらに備え、前記少なくとも第３の反射面は第３の軸および第３の焦点を有し、前記第１の反射面、前記第２の反射面および前記少なくとも第３の反射面は前記本体軸を中心として横断方向に位置決めされ、前記第３の反射面は第３の焦点を画定し、前記第３の焦点からの光を前記第３の反射面によって収束するように反射する形状を有する、請求項１７に記載の照明ユニット。
【請求項２８】
前記第１の軸、前記第２の軸および前記第３の軸は、前記本体軸に対して非平行である、請求項２７に記載の照明ユニット。
【請求項２９】
前記第１の軸、前記第２の軸および前記第３の軸は、実質的に１つの交点で前記本体軸と交差する、請求項２８に記載の照明ユニット。
【請求項３０】
前記第１の反射面、前記第２の反射面および少なくとも第３の反射面は、前記本体軸を中心として対称に配置される少なくとも４つの反射面を備える、請求項２７に記載の照明ユニット。
【請求項３１】
前記第１の反射面、前記第２の反射面および少なくとも第３の反射面が前記第１の反射面、前記第２の反射面および前記第３の反射面の前記第１の焦点、前記第２の焦点および前記第３の焦点の近くに位置決めされるそれぞれの第１の発光ダイオード（ＬＥＤ）、第２の発光ダイオード（ＬＥＤ）および第３の発光ダイオード（ＬＥＤ）によって照らされるとき、前記第１の反射面、前記第２の反射面および前記少なくとも第３の反射面のそれぞれの第２の焦点に相当する共通の対象領域を照らすように、前記第１の反射面、前記第２の反射面および前記少なくとも第３の反射面が整列される、請求項２７に記載の照明ユニット。
【請求項３２】
前記第１の反射面、前記第２の反射面および少なくとも第３の反射面は、アパーチャを有する閉鎖形状を形成し、前記アパーチャは前記本体軸上に置かれ、前記アパーチャを通る光を反射するように配置された少なくとも第４の回転軸を中心とした少なくとも第４の回転面に適合する少なくとも第４の反射面をさらに備える、請求項２７に記載の照明ユニット。
【請求項３３】
前記第１の反射面および前記第２の反射面はそれぞれ、多層光学フィルムを備える、請求項１７に記載の照明ユニット。
【請求項３４】
前記第１の反射面および前記第２の反射面は、それぞれの中空の反射体に関する反射面を画定する、請求項１７に記載の照明ユニット。
【請求項３５】
前記第１の反射面および前記第２の反射面は、それぞれの中実の反射体に関する反射面を画定する、請求項１７に記載の照明ユニット。
【請求項３６】
前記中実の反射体の少なくとも１つは、切子面状の出射面を有する、請求項１７に記載の照明ユニット。
【請求項３７】
前記中実の反射体の少なくとも１つは、平坦な出射面を有する、請求項１７に記載の照明ユニット。
【請求項３８】
前記中実反射体の少なくとも１つは、湾曲した出射面を有する、請求項１７に記載の照明ユニット。
【請求項３９】
第１の反射体軸および第１の反射体焦点を有する第１の反射面と、第２の反射体軸および第２の反射体焦点を有する少なくとも第２の反射面とを備える反射モジュールと、
略前記第１の反射体焦点に位置決めされ、第１のＬＥＤ軸に沿って、前記第１の反射体軸に対して略横断方向に前記第１の反射面に向かって光を指向する第１の発光ダイオード（ＬＥＤ）と、略前記第２の反射体焦点に位置決めされ、前記第２の反射面に向かって光を指向する第２のＬＥＤとを備え、
前記第１の反射面に入射する前記第１のＬＥＤからの光は前記反射モジュールによって前記反射モジュールの外側に位置する対象焦点に収束され、前記第２の反射面に入射する前記第２のＬＥＤからの光は前記対象焦点に収束される、照明ユニット。
【請求項４０】
前記第１のＬＥＤ軸は、前記第１の反射体軸に対して角度θを形成し、４５°≦θ≦９０°であり、θは前記ＬＥＤ軸と前記第１の反射体軸との間の最小角である、請求項３９に記載の照明ユニット。
【請求項４１】
１８°≦θ≦９０°である、請求項４０に記載の照明ユニット。
【請求項４２】
θは約９０°である、請求項４０に記載の照明ユニット。
【請求項４３】
前記第１の反射面は、前記第１の軸を中心とした第１の回転面に適合する、請求項３９に記載の照明ユニット。
【請求項４４】
前記第１の反射面は第１の焦点および第２の焦点を有する楕円面に適合し、前記第１のＬＥＤは実質的に前記楕円面の前記第１の焦点に位置決めされる発光領域を有し、前記第１の対象焦点は略前記楕円面の前記第２の焦点に位置決めされる、請求項４３に記載の照明ユニット。
【請求項４５】
前記反射モジュールは透過媒体を備え、前記反射面は前記透過媒体の外側に配置され、前記透過媒体は前記第１のＬＥＤと前記反射面との間に位置決めされる、請求項３９に記載の照明ユニット。
【請求項４６】
前記第１のＬＥＤからの光は第１の出射アパーチャを通って前記反射モジュールを出射し、前記透過媒体は前記第１の出射アパーチャにおいて実質的な平面を有する、請求項４５に記載の照明ユニット。
【請求項４７】
前記第１のＬＥＤからの光は第１の出射アパーチャを通って前記反射モジュールを出射し、前記透過媒体は前記第１の出射アパーチャにおいて切子面を有する、請求項４５に記載の照明ユニット。
【請求項４８】
前記第１のＬＥＤからの光は第１の出射アパーチャを通って前記反射モジュールを出射し、前記透過媒体は前記第１の出射アパーチャにおいて曲面を有する、請求項４５に記載の照明ユニット。
【請求項４９】
前記透過媒体は前記第１のＬＥＤを収容するための窪みを形成する凹面を有し、前記第１のＬＥＤのレンズの少なくとも一部は前記窪みに配置される、請求項４５に記載の照明ユニット。
【請求項５０】
前記第１の反射体は、前記第１のＬＥＤユニットと反射体支持媒体との間に配置される前記反射面を備えるように形成される、請求項３９に記載の照明ユニット。
【請求項５１】
前記第２のＬＥＤからの光は、前記第２の反射面によって反射して前記対象焦点に収束される、請求項３９に記載の照明ユニット。
【請求項５２】
前記第１の反射体軸および前記第２の反射体軸は非平行である、請求項３９に記載の照明ユニット。
【請求項５３】
前記第１の反射体軸および前記第２の反射体軸は、略前記第１の対象焦点で交差する、請求項５２に記載の照明ユニット。
【手続補正２】
【補正対象書類名】明細書
【補正対象項目名】００２２
【補正方法】変更
【補正の内容】
【００２２】
出射面３１６は、平坦である必要はない。出射面は、たとえば図３Ｂに示されているように切子面であってもよい。切子面状の出射面３１６ａは、異なる方向に異なる反射光線３１４を屈折するように２つ以上の切子面を含んでもよい。出射面はまた、たとえば図３Ｃに示されているように湾曲していてもよい。湾曲した出射面３１６は、レンズとして作用し、集束力に反射面３１０の集束力を加算するように正レンズとして作用してもよく、または反射面の集束力から集束力を減算するように負レンズとして作用してもよい。出射面はその全体領域にわたって湾曲している必要はなく、出射面は平坦な部分および湾曲部分を有してもよいことを十分に認識されよう。さらに、出射面の異なる部分が異なる集束力を有するように、出射面の異なる部分が異なる曲線を備えていてもよい。
【手続補正３】
【補正対象書類名】明細書
【補正対象項目名】００２４
【補正方法】変更
【補正の内容】
【００２４】
図４Ｂは、反射体４２４が反射体４０４のように形成されるが、部分４０４ａおよび４０４ｂが除去されている照明ユニット４２０を概略的に示す。これは、図４Ａに示される型より少ない光４２６で対象領域４３０を照らすため、反射体４２４に関する全体的な反射効率は小さい。しかし、部分４０４ａおよび４０４ｂが除去されるため、所望の円錐角内の光を用いて対象物を照らすように、複数の反射体を共に組み合わせ、対象物に供給される光の量を増大してもよい。図４Ｃは、反射体４２４のような６個の反射体から形成される反射体本体４４４を有する複数反射体照明ユニット４４０の実施例を概略的に示す。反射体本体４４４は、異なる方法で形成されてもよく、たとえば反射体４２４のような個別の反射体を組み合わせることによって形成されてもよく、または一体型ユニットとして形成されてもよい。対象領域４１０または４３０に入射するより、対象領域４５０に入射する光４４６の方がきわめて多いが、対象領域４５０に入射する光の量は対象領域４１０に入射する光の６倍でなくてもよい。一部の特定の実施例に対して計算された一部の照明効率が、以下で説明される。
【手続補正４】
【補正対象書類名】明細書
【補正対象項目名】００２８
【補正方法】変更
【補正の内容】
【００２８】
照明ユニット６４０は図６Ｃに概略的に示されており、２列６４８ａおよび６４８ｂの反射体６４４ａを有する。第１の列６４８ａは、アパーチャ６５０の周囲に配置される１０個の反射体６４４ａを有する反射体本体６４４を形成する。それぞれのＬＥＤユニット６４２ａは、第１の列６４８ａの反射体６４４ａによって対象領域６４６に向かって反射される光を生成する。第２の列６４８ｂは、光をそれぞれのＬＥＤユニット６４２ａからアパーチャ６５０を通って対象領域６４６に向かって指向するように、共に位置決めされる６個の反射体６５４ａを有する反射体本体６５４から形成される。第１の列６４８ａの反射体６４４ａが第２の列の反射体６５４ａと同一の形状であってもよく、または同一の形状でなくてもよいことは十分に認識されよう。